(57)【要約】  室内機の補助パネル及び空気調和機の室内機であって、本体と、本体に取り付けられ、本体側第１平坦面、本体側第１平坦面から本体側に延びる第１段差面及び本体側第１平坦面と段差を有して形成され第１段差面と接続する本体側第２平坦面で形成された矩形状のメインパネルとを備えた室内機の周縁に配置される室内機の補助パネルであって、補助側第１平坦面を有する補助側第１下壁部と、補助側第１平坦面と段差を有して形成された補助側第２平坦面を有する補助側第２下壁部とを備え、補助側第１下壁部は、メインパネルの第１段差面に接触し、補助側第１平坦面から補助側第２平坦面までの高さが、本体側第１平坦面から本体側第２平坦面までの高さと等しく、補助側第２平坦面から天井の取付面までの高さが、本体側第２平坦面から天井の取付面までの高さと等しい室内機の補助パネル。
2017175322.tif 000002
【特許請求の範囲】
【請求項１】
本体と、前記本体に取り付けられ、本体側第１平坦面、前記本体側第１平坦面から前記本体側に延びる第１段差面及び前記本体側第１平坦面と段差を有して形成され前記第１段差面と接続する本体側第２平坦面で形成された矩形状のメインパネルとを備えた室内機の周縁に配置される室内機の補助パネルであって、
補助側第１平坦面を有する補助側第１下壁部と、
前記補助側第１平坦面と段差を有して形成された補助側第２平坦面を有する補助側第２下壁部と、
を備え、
前記補助側第１下壁部は、前記メインパネルの前記第１段差面に接触し、
前記補助側第１平坦面から前記補助側第２平坦面までの高さが、前記本体側第１平坦面から前記本体側第２平坦面までの高さと等しく、
前記補助側第２平坦面から天井の取付面までの高さが、前記本体側第２平坦面から天井の取付面までの高さと等しい室内機の補助パネル。
【請求項２】
前記メインパネルは、前記本体側第２平坦面から取付面までの第２段差面を有し、
前記補助側第２下壁部は、前記第２段差面と接触する請求項１に記載の室内機の補助パネル。
【請求項３】
前記補助側第１下壁部は前記本体側に延びる補助側第１側壁部を備え、
前記補助側第１側壁部は、前記本体側第２平坦面と接触する請求項１又は２に記載の室内機の補助パネル。
【請求項４】
前記補助側第１下壁部に設けられ、ネジ穴を有するボス形状部をさらに備え、
前記メインパネルは、前記本体側第２平坦面の裏側の下壁部に開口部を備え、
前記補助側第１下壁部は、前記開口部を貫通してネジ穴に固定されるネジを用いて前記メインパネルに固定される請求項１〜３のいずれか一項に記載の室内機の補助パネル。
【請求項５】
請求項１〜４のいずれか一項に記載の室内機の補助パネルを備えた空気調和機の室内機。
【発明の詳細な説明】
【技術分野】
【０００１】
この発明は、天井カセット形空気調和機の室内機に用いられる補助パネル及び空気調和機の室内機に関するものである。
【背景技術】
【０００２】
天井に設けた開口を介して天井室内に埋め込まれる従来の天井カセット形空気調和機は、箱状の外郭板金で構成された空気調和機本体を有し、空気調和機本体の下方開口に化粧パネルが取り付けられた構成を有している。ここで、サイズの大きい天井カセット形空気調和機からサイズの小さい空気調和機へ入れ替えが行われた場合、天井の開口が生じてしまう。天井の開口部を隠すために、化粧パネルのメインパネルに補助パネルが取り付けられる（例えば、特許文献１参照）。特許文献１の天井カセット形空気調和機は、本体のメインパネルと、天井との間の余剰開口部を隠す手段として、メインパネルの上側に補助パネルの段差部を有し、係止金具が天井裏に止められることで補助パネルが固定されている。
【先行技術文献】
【特許文献】
【０００３】
【特許文献１】特開２０００−４６３６５号公報
【発明の概要】
【発明が解決しようとする課題】
【０００４】
特許文献１の天井カセット形空気調和機の化粧パネルは、メインパネルと補助パネルの接続部の意匠面の連続性がなく、デザイン性が損なわれる。【０００５】
そこで、本発明は、上記のような課題を解決するためのもので、メインパネルと補助パネルの接続部の意匠面の連続性を確保し、メインパネルとのデザイン上の一体感を感じさせる補助パネル及び空気調和機の室内機を提供するものである。
【課題を解決するための手段】
【０００６】
本発明に係る室内機の補助パネル及び空気調和機の室内機は、本体と、本体に取り付けられ、本体側第１平坦面、本体側第１平坦面から本体側に延びる第１段差面及び本体側第１平坦面と段差を有して形成され第１段差面と接続する本体側第２平坦面で形成された矩形状のメインパネルとを備えた室内機の周縁に配置される室内機の補助パネルであって、補助側第１平坦面を有する補助側第１下壁部と、補助側第１平坦面と段差を有して形成された補助側第２平坦面を有する補助側第２下壁部とを備え、補助側第１下壁部は、メインパネルの第１段差面に接触し、補助側第１平坦面から補助側第２平坦面までの高さが、本体側第１平坦面から本体側第２平坦面までの高さと等しく、補助側第２平坦面から天井の取付面までの高さが、本体側第２平坦面から天井の取付面までの高さと等しいものである。
【発明の効果】
【０００７】
本発明に係る室内機の補助パネル及び空気調和機の室内機によれば、メインパネルの平坦面と補助パネルの平坦面との連続性を確保し、メインパネルと補助パネルのデザイン上の一体感を感じさせるものである。
【図面の簡単な説明】
【０００８】
【図１】本発明の実施の形態１に係る補助パネルを示す斜視図である。
【図２】本発明の実施の形態１に係る補助パネルの要部を示す斜視図である。
【図３】本発明の実施の形態１に係る補助パネルの斜視図である。
【図４】本発明の実施の形態１に係る補助パネルとメインパネルの組立前の接続を示す要部断面図である。
【図５】本発明の実施の形態１に係る補助パネルとメインパネルの組立後の接続を示す要部断面図である。
【図６】本発明の実施の形態２に係る補助パネルの斜視図である。
【図７】本発明の実施の形態２に係る補助パネルとメインパネルの組立前の接続を示す要部断面図である。
【図８】本発明の実施の形態２に係る補助パネルとメインパネルの組立後の接続を示す要部断面図である。
【図９】本発明の実施の形態３に係る補助パネルの斜視図である。
【図１０】本発明の実施の形態３に係る補助パネルとメインパネルの組立前の接続を示す要部断面図である。
【図１１】本発明の実施の形態３に係る補助パネルとメインパネルの組立後の接続を示す要部断面図である。
【発明を実施するための形態】
【０００９】
実施の形態１．
図１は、本発明の実施の形態１に係る補助パネルを示す斜視図である。図１に示すように、室内機１００は、本体３を有し、本体３の下方開口にメインパネル１が取り付けられている。メインパネル１は、周縁が段状に形成されている矩形状のパネルである。メインパネル１は、周縁の４つの辺にそれぞれ補助パネル２を取り付けることができる。補助パネル２は、メインパネル１の長手方向（Ｘ軸方向）の辺に取り付けられる補助パネル２ａと、幅方向（Ｙ軸方向）の辺に取り付けられる補助パネル２ｂがある。
【００１０】
図２は、本発明の実施の形態１に係る補助パネルの要部を示す斜視図である。メインパネル１は、正面側に矩形状の本体側第１平坦面４を有し、本体側第１平坦面４の周縁に段状に形成された本体側第２平坦面５を有する。メインパネル１は、本体側第１平坦面４と本体側第２平坦面５とを本体側方向に接続する本体側第１段差面６を有する。メインパネル１は、さらに本体側第２平坦面５から天井に向かって本体側方向に本体側第２段差面７を有している。メインパネル１は、長さ方向において、本体側第２平坦面５の長さＭＬ２が、本体側第１平坦面４の長さＭＬ１より長い。また、メインパネル１は、幅方向において、本体側第２平坦面５の幅ＭＷ２が、本体側第１平坦面４の幅ＭＷ１より長い。
【００１１】
補助パネル２は、補助パネル２ａ又は補助パネル２ｂであり、補助パネル２ａは、メインパネル１の長さ方向（Ｘ軸方向）に設置され、補助パネル２ｂはメインパネル１の幅方向（Ｙ軸方向）に設置される。補助パネル２ａと補助パネル２ｂは、周縁の一部が段状に形成されている。補助パネル２ａと補助パネル２ｂは、段状に形成された構造が同じなので、構造について補助パネル２ａについて説明する。
【００１２】
補助パネル２ａは、正面側に矩形状の補助側第１平坦面８を有し、補助側第１平坦面８の周縁の一部に段状に形成された補助側第２平坦面９を有する。補助パネル２ａは、補助側第１平坦面８と補助側第２平坦面９とを本体側方向（Ｚ軸方向）に接続する補助側第１段差面１０を有する。補助パネル２ａは、さらに補助側第２平坦面９から天井に向かって本体側方向（Ｚ軸方向）に補助側第２段差面１１を有している。
【００１３】
次に、補助パネル２の長さと幅について図１を用いて説明する。補助パネル２ａは、長さ方向（Ｘ軸方向）において、補助側第２平坦面９の長さＬａ２が、補助側第１平坦面８の長さＬａ１より長い。また、補助パネル２ａは、幅方向（Ｙ軸方向）において、補助側第２平坦面９の幅Ｗａ２は、補助側第１平坦面８の幅Ｗａ１より短い。なお、補助側第２平坦面９の幅Ｗａ２と、補助側第１平坦面８の幅Ｗａ１とは、いずれか一方の幅が長くてもよく、同じ長さであってもよい。補助パネル２ｂは、長さ方向（Ｙ軸方向）において、補助側第２平坦面９の長さＬｂ２が、補助側第１平坦面８の長さＬｂ１より長い。また、補助パネル２ｂは、幅方向（Ｘ軸方向）において、補助側第２平坦面９の幅Ｗｂ２は、補助側第１平坦面８の幅Ｗｂ１より短い。なお、補助側第２平坦面９の幅Ｗｂ２と、補助側第１平坦面８の幅Ｗｂ１とは、いずれか一方の幅が長くてもよく、同じ長さであってもよい。補助パネル２ａの幅Ｗａ１は、補助パネル２ｂの幅Ｗｂ１の幅より狭く、補助パネル２ａの長さＬａ１は、補助パネル２ｂの長さＬｂ１より長い。また、補助パネル２ａの幅Ｗａ２は、補助パネル２ｂの幅Ｗｂ２の幅より狭く、補助パネル２ａの長さＬａ２は、補助パネル２ｂの長さＬｂ２より長い。
【００１４】
次に、補助パネル２とメインパネル１との関係について説明する。補助パネル２ａは、図１に示す補助側第１平坦面８の長さＬａ１が、本体側第１平坦面４の長さＭＬ１に等しく、補助側第２平坦面９の長さＬａ２が、本体側第２平坦面５の長さＭＬ２に等しい。補助パネル２ｂは、図１に示す補助側第１平坦面８の長さＬｂ１が、本体側第１平坦面４の幅ＭＷ１に等しく、補助側第２平坦面９の長さＬｂ２が、本体側第２平坦面５の幅ＭＷ２に等しい。また、補助パネル２ａは、補助パネル２ｂを同時に使用する場合がある。その場合、補助側第１平坦面８の長さＬａ１が、本体側第１平坦面４の長さＭＬ１と補助側第１平坦面８の幅Ｗｂ１とを足した長さに等しく、補助側第２平坦面９の長さＬａ２が、本体側第２平坦面５の長さＭＬ２と補助側第２平坦面９の幅Ｗｂ２とを足した長さに等しい。あるいは、補助側第１平坦面８の長さＬｂ１が、本体側第１平坦面４の幅ＭＷ１と補助側第１平坦面８の幅Ｗａ１とを足した長さに等しく、補助側第２平坦面９の長さＬｂ２が、本体側第２平坦面５の幅ＭＷ２と補助側第２平坦面９の幅Ｗａ２とを足した長さに等しい。なお、補助パネル２ａと補助パネル２ｂとは、天井の開口の大きさによってメインパネルの１辺で使用してもよいし、２以上の辺で使用してもよい。
【００１５】
図３は、本発明の実施の形態１に係る補助パネルの斜視図である。補助パネル２ａは、表側を補助側第１平坦面８とする補助側第１下壁部１２と、表側を補助側第２平坦面９とする補助側第２下壁部１６とを有する。補助パネル２ａは、補助側第１下壁部１２の縁部から補助側第２平坦面９の間に、補助側第１側壁部１３ａと、補助側第１側壁部１３ｂと、補助側第１側壁部１３ｃとからなる補助側第１側壁部１３を有する。補助側第１側壁部１３は、表側に補助側第１段差面１０を有する。補助側第１側壁部１３ａと、補助側第１側壁部１３ｂと、補助側第１側壁部１３ｃの各側壁部は、平面で構成されてもよいし、曲面で構成されてもよい。補助側第１側壁部１３は、上端部に第１上端部１５を有しており、第１上端部１５の一部が本体側方向（Ｚ軸方向）に突出し、突出した部分から外側に補助側第２下壁部１６が形成されている。
【００１６】
補助パネル２ａは、補助側第２下壁部１６の縁部に、補助側第２側壁部１７ａと、補助側第２側壁部１７ｂと、補助側第２側壁部１７ｃとからなる補助側第２側壁部１７を有する。補助側第２側壁部１７は、表側に補助側第２段差面１１を有する。補助側第２側壁部１７ａと、補助側第２側壁部１７ｂと、補助側第２側壁部１７ｃの各側壁部は、平面で構成されてもよいし、曲面で構成されてもよい。補助側第２側壁部１７の上端部である第２上端部１９は、取付面として天井面と接する。
【００１７】
補助パネル２ａは、補助側第１下壁部１２の側端部と補助側第１側壁部１３ａ及び補助側第１側壁部１３ｃの側端部を連続面として形成する第１側端部１４を有する。補助パネル２ａは、補助側第２下壁部１６の側端部と補助側第２側壁部１７ａ及び補助側第２側壁部１７ｃの側端部を連続面として形成する第２側端部１８を有する。
【００１８】
図４は、本発明の実施の形態１に係る補助パネルとメインパネルの組立前の接続を示す要部断面図である。補助パネル２ａの第１側端部１４は、メインパネル１の本体側第１段差面６に対向し、補助パネル２ａの第２側端部１８は、メインパネル１の本体側第２段差面７に対向する。図５は、本発明の実施の形態１に係る補助パネルとメインパネルの組立後の接続を示す要部断面図である。補助パネル２ａの第２上端部１９は取付面として、天井３０と接する。補助パネル２ａがメインパネル１に取り付けられる場合、補助パネル２ａの第１側端部１４は、本体側第１段差面６の本体側第１平坦面４側の縁部と接触し、さらに、補助パネル２ａの第２側端部１８は、本体側第２段差面７の本体側第２平坦面５側の縁部と接触する。そして、補助パネル２ａの第１上端部１５は、本体側第２平坦面５と対向する。すなわち、補助パネル２ａは、メインパネルの段差と重複するものである。
【００１９】
以上のように、補助側第１平坦面８から補助側第２平坦面９までの高さＳ１が、メインパネル１の本体側第１平坦面４から本体側第２平坦面５までの高さＭ１と等しい。また、補助側第２平坦面９から取付面である第２上端部１９までの高さＳ２が、本体側第２平坦面５から取付面である本体側上端部２０までの高さＭ２と等しい。その結果、メインパネルと補助パネルの平坦面の連続性を確保し、メインパネルと補助パネルとのデザイン上の一体感を感じさせるものである。また、補助パネルは、外縁に段差を設けており、外縁を薄くすることができる。
【００２０】
実施の形態２．
図６は、本発明の実施の形態２に係る補助パネルの斜視図である。図１〜図５のメインパネル及び補助パネルと同一の構成を有する部位には同一の符号を付してその説明を省略する。次にメインパネル１の本体側第２平坦面５と補助パネル２の第１上端部１５とが接する場合である実施の形態２を説明する。
【００２１】
補助パネル１０２ａの補助側第１側壁部１３は、上端部に第１上端部１１５を有しており、第１上端部１１５に補助側第２下壁部１６が形成されている。
【００２２】
図７は、本発明の実施の形態２に係る補助パネルとメインパネルの組立前の接続を示す要部断面図である。補助パネル１０２ａの第１側端部１４は、メインパネル１の本体側第１段差面６に対向し、補助パネル１０２ａの第２側端部１８は、メインパネル１の本体側第２段差面７に対向する。図８は、本発明の実施の形態２に係る補助パネルとメインパネルの組立後の接続を示す要部断面図である。補助パネル１０２ａの第２上端部１９は取付面として、天井３０と接する。補助パネル１０２ａがメインパネル１に取り付けられる場合、補助パネル１０２ａの第１側端部１４は、本体側第１段差面６の本体側第１平坦面４側の縁部と接触し、さらに、補助パネル１０２ａの第２側端部１８は、本体側第２段差面７の本体側第２平坦面５側の縁部と接触する。さらに、補助パネル１０２ａの第１上端部１１５とメインパネル１の本体側第２平坦面５とが接する。そして、補助パネル２ａの第１上端部１１５は、本体側第２平坦面５と対向する。すなわち、本発明に係る補助パネル１０２ａは、メインパネルの段差と重複するものである。
【００２３】
以上のように、補助パネル１０２ａは、メインパネル１の本体側第２平坦面５と補助パネル２の第１上端部１１５とが接するように構成されているので、上下方向の移動が規制される。その結果、本体側第１平坦面４と補助側第１平坦面８、また、本体側第２平坦面５と補助側第２平坦面９のずれを抑制することができる。
【００２４】
また、補助側第１平坦面８から補助側第２平坦面９までの高さＳ１が、メインパネル１の本体側第１平坦面４から本体側第２平坦面５までの高さＭ１と等しい。また、補助側第２平坦面９から取付面である第２上端部１９までの高さＳ２が、本体側第２平坦面５から取付面である本体側上端部２０までの高さＭ２と等しい。その結果、メインパネルと補助パネルの平坦面の連続性を確保し、メインパネルと補助パネルとのデザイン上の一体感を感じさせるものである。また、補助パネルは、外縁に段差を設けており、外縁を薄くすることができる。  
【００２５】
実施の形態３．
図９は、本発明の実施の形態３に係る補助パネルの斜視図である。図１〜図５のメインパネル及び補助パネルと同一の構成を有する部位には同一の符号を付してその説明を省略する。次に、メインパネル１と補助パネル２がネジ止めされる場合を実施の形態３として説明する。
【００２６】
補助パネル２０２ａは、補助側第１平坦面８の裏側の補助側第１下壁部２１２に、補助パネル２０２ａの長手方向に沿って１列に配置されたボス形状部２２０を有する。ボス形状部２２０は、円筒状の凸部に形成され、筒の内側にはネジ穴２２１を有する。なお、ボス形状部２２０は、角柱状の凸部であってもよいし、長手方向に沿って２列以上に配置された構成であってもよい。ネジ穴２２１は、予め雌ネジが切ってあってもよいし、雄ネジの挿入によって雌ネジが切られてもよい。補助側第１側壁部１３ａ及び補助側第１側壁部１３ｃは、上端部に第１上端部２１５を有しており、第１上端部２１５に補助側第２下壁部１６が形成されている。
【００２７】
図１０は、本発明の実施の形態３に係る補助パネルとメインパネルの組立前の接続を示す要部断面図である。補助パネル２０２ａの第１側端部１４は、メインパネル１の本体側第１段差面６に対向し、補助パネル２０２ａの第２側端部１８は、メインパネル１の本体側第２段差面７に対向する。メインパネル１は、本体側第２平坦面５が設けられた下壁部の裏側に長手方向に沿って開口部２２２を有する。開口部２２２の位置は、ネジ穴２２１の位置と一致する。開口部２２２は、非貫通孔であり、ネジの先端を当て回転させて押し付けることにより貫通する。なお、開口部２２２は、ネジの径より小さい貫通孔であってもよい。図１１は、本発明の実施の形態３に係る補助パネルとメインパネルの組立後の接続を示す要部断面図である。補助パネル２０２ａの第２上端部１９は取付面として、天井３０と接する。補助パネル２０２ａの第１側端部１４は、本体側第１段差面６の本体側第１平坦面４側の縁部と接触し、さらに、補助パネル２０２ａの第２側端部１８は、本体側第２段差面７の本体側第２平坦面５側の縁部と接触する。さらに、補助パネル２０２ａの第１上端部１１５とメインパネル１の本体側第２平坦面５とが接する。そして、補助パネル２０２ａの第１上端部１１５は、本体側第２平坦面５と対向する。すなわち、補助パネル２０２ａは、メインパネルの段差と重複するものである。さらに、補助パネル２０２ａは、開口部２２２を介してネジ２２３をネジ穴２２１に固定することにより、メインパネル１に固定される。
【００２８】
以上のように、補助パネル２０２ａの補助側第１下壁部２１２は、ネジ穴２２１を有するボス形状部２２０を備える。補助パネル２０２ａは、メインパネル１の本体側第２平坦面５を貫通してネジ穴２２１にネジ２２３が挿入されて固定される。そのため、補助パネル２０２ａは、特別な部品を使用することなく簡単にメインパネル１に接続することができる。
【００２９】
また、補助側第１平坦面８から補助側第２平坦面９までの高さＳ１が、メインパネル１の本体側第１平坦面４から本体側第２平坦面５までの高さＭ１と等しい。また、補助側第２平坦面９から取付面である第２上端部１９までの高さＳ２が、本体側第２平坦面５から取付面である本体側上端部２０までの高さＭ２と等しい。その結果、メインパネルと補助パネルの平坦面の連続性を確保し、メインパネルと補助パネルとのデザイン上の一体感を感じさせるものである。また、補助パネルは、外縁に段差を設けており、外縁を薄くすることができる。  
【００３０】
また、補助パネル２０２ａは、メインパネル１の本体側第２平坦面５と補助パネル２の第１上端部１１５とが接するように構成されているので、上下方向の移動が規制される。その結果、本体側第１平坦面４と補助側第１平坦面８、また、本体側第２平坦面５と補助側第２平坦面９のずれを抑制することができる。
【００３１】
なお、本発明の実施の形態は、上記実施の形態１〜３に限定されず、種々の変更を加えることができる。例えば、補助パネル２ａの幅Ｗａ１又は幅Ｗａ２が、補助パネル２ｂの幅Ｗｂ１又は幅Ｗｂ２の幅より広くてもよい。また、メインパネル１及び補助パネル２の平坦面が３以上設けられても良い。また、補助パネルは、機械的強度を高めるために側壁部と下壁部の間にリブのような補強材が設けられても良い。同様に、補助パネルは、ボス形状部と下壁部の間や、ボス形状部と側壁部の間に機械的強度を高めるためにリブのような補強材が設けられても良い。
【符号の説明】
【００３２】
１  メインパネル、２  補助パネル、２ａ  補助パネル、２ｂ  補助パネル、３  本体、４  本体側第１平坦面、５  本体側第２平坦面、６  本体側第１段差面、７  本体側第２段差面、８  補助側第１平坦面、９  補助側第２平坦面、１０  補助側第１段差面、１１  補助側第２段差面、１２  補助側第１下壁部、１３  補助側第１側壁部、１３ａ  補助側第１側壁部、１３ｂ  補助側第１側壁部、１３ｃ  補助側第１側壁部、１４  第１側端部、１５  第１上端部、１６  補助側第２下壁部、１７  補助側第２側壁部、１７ａ  補助側第２側壁部、１７ｂ  補助側第２側壁部、１７ｃ  補助側第２側壁部、１８  第２側端部、１９  第２上端部、２０  本体側上端部、３０  天井、１００  室内機、１０２ａ  補助パネル、１１５  第１上端部、２０２ａ  補助パネル、２１２  補助側第１下壁部、２１５  第１上端部、２２０  ボス形状部、２２１  ネジ穴、２２２  開口部、２２３  ネジ。
【図１】
2017175322.tif 000003
【図２】
2017175322.tif 000004
【図３】
2017175322.tif 000005
【図４】
2017175322.tif 000006
【図５】
2017175322.tif 000007
【図６】
2017175322.tif 000008
【図７】
2017175322.tif 000009
【図８】
2017175322.tif 000010
【図９】
2017175322.tif 000011
【図１０】
2017175322.tif 000012
【図１１】
2017175322.tif 000013
【国際調査報告】
2017175322.tif 000014
2017175322.tif 000015
2017175322.tif 000016
2017175322.tif 000017